(57)【特許請求の範囲】
【請求項１】
フットボードの踏込操作に連動して回動しドラムヘッドを打撃するビータを備えたドラム用フットペダルにおいて、
ドラムヘッドを打撃する、打楽器の打撃に適した材質からなる打撃部材と、
第１のケースおよび第２のケースで構成される保持部材であって、第１のケースおよび第２のケースにより前記打撃部材をビータロッドの軸線方向から挟持するとともに前記打撃部材の後部を収納する収納部を有する保持部材とにより前記ビータを構成したことを特徴とするドラム用フットペダル。
【請求項２】
打撃部材はフェルトであることを特徴とする請求項１記載のドラム用フットペダル。
【請求項３】
第１のケースと第２のケースとをナットによりビータロッドに固定したことを特徴とする請求項１または２記載のドラム用フットペダル。
【発明の詳細な説明】
【０００１】
【発明の属する技術分野】
本発明は、バスドラムに用いられるドラム用フットペダルに関し、特にバスドラムのドラムヘッドを打撃するビータ構造を改良したドラム用フットペダルに関するものである。
【０００２】
【従来の技術】
バスドラムの演奏に用いられるドラム用フットペダルは、フットボードの踏込操作によってビータを回動させ、これによりバスドラムのドラムヘッドを打撃するように構成されている（例：実公昭５５−４５４３３号、実公昭５８−４３０３５号、特開平８−３１４４４７号等）。
【０００３】
ドラムヘッドを打撃するビータとしては、図８に示す構造のものが知られている（特開平８−３１４４４９号）。すなわち、このビータＡは、円板状に形成されたフェルトＢと、このフェルトＢが一端面に接着剤Ｄによって貼着された筒体Ｃとで構成されるもので、前記筒体ＣをビータロッドＥの先端部に軸線が当該ロッドの軸線と直交するように取付けてナット等で固定している。
【０００４】
【発明が解決しようとする課題】
しかしながら、このような従来のビータＡにおいては、フェルトＢを筒体Ｃに接着剤Ｄによって固着する構造であるため、作業上のばらつきが発生し易く、特にフェルトＢが筒体Ｃに対して偏心して取付けられると外観を損なうという問題があった。また、長期間使用していると、接着剤Ｄの劣化によりフェルトＢが筒体Ｃから剥離して脱落したり、またはフェルトＢの摩耗、損傷等により交換する必要が生じたとき、フェルトＢだけを交換するには接着剤Ｄを必要とし、接着面の前処理を入念に行わないと接着しても剥離し易いため、結局フェルトＢを交換するには筒体Ｃを含むビータＡ全体を交換する必要があった。
【０００５】
本発明は上記した従来の問題を解決するためになされたもので、その目的とするところはビータに用いられるフェルトの保持が確実で脱落したりすることがなく、またフェルトが摩耗したときにはフェルトのみを交換し得るようにしたドラム用フットペダルを提供することにある。
【０００６】
【課題を解決するための手段】
上記目的を達成するために本発明は、フットボードの踏込操作に連動して回動しドラムヘッドを打撃するビータを備えたドラム用フットペダルにおいて、ドラムヘッドを打撃する、打楽器の打撃に適した材質からなる打撃部材と、第１のケースおよび第２のケースで構成される保持部材であって、第１のケースおよび第２のケースにより前記打撃部材をビータロッドの軸線方向から挟持するとともに前記打撃部材の後部を収納する収納部を有する保持部材とにより前記ビータを構成したものである。
また、本発明は、打撃部材としてフェルトを用いたものである。
さらに、本発明は、第１のケースと第２のケースをナットによりビータロッドに固定したものである。
【０００７】
本発明においては、保持部材が打撃部材を挟持しているので、打撃部材が収納部から脱落するのを防止する。
【０００８】
【発明の実施の形態】
以下、本発明を図面に示す実施の形態に基づいて詳細に説明する。
図１は本発明に係るドラム用フットペダルの一実施の形態を示す外観斜視図、図２はビータの正面図、図３は図２のIII −III 線断面図、図４は同じくビータの平面図、図５（ａ）、（ｂ）、（ｃ）はフェルトの平面図、正面図および側面図、図６（ａ）、（ｂ）は第１のケースの断面図および底面図、図７（ａ）、（ｂ）は第２のケースの断面図および平面図である。
【０００９】
図１において、全体を符号１で示すドラム用フットペダルは、床面に設置されるペダルフレーム２を備えている。ペダルフレーム２は、アルミニウム合金等からなりダイキャスト鋳造によって製作されるもので、板状のフレーム本体２Ａと、フレーム本体２Ａの上面両端部にそれぞれ一体に立設された２本の支柱部２Ｂ，２Ｂとからなり、フレーム本体２Ａにヒール３が連結部材４を介して連結されている。また、フレーム本体２Ａの上面には、図示を省略したバスドラムの締め枠（フープ）を咬持するクランプ金具５が取付けられている。
【００１０】
前記２本の支柱部２Ｂ，２Ｂの上端間には回動軸６が回転自在に横架されている。このため、各支柱部２Ｂの上端部は軸受部７をそれぞれ構成し、前記回動軸６の端部を軸支する軸受８が取付けられている。回動軸６の中央にはロッカ９が固定されており、またこのロッカ９にはバスドラムのドラムヘッドを打撃するビータ１０がビータロッド１１を介して取付けられるとともに、フットボード１２の前端が踏力伝達部材１３を介して連結されている。
【００１１】
前記フットボード１２は、足を載せるに十分な大きさの平板状に形成されており、後端が前記ヒール３に連結ピンを介して回動自在に連結され、かつ復帰用ばね１４によって上方への復帰習性が付与されている。前記復帰用ばね１４は、上端が前記回動軸６の一端部に設けたカムプレート１５に連結され、下端が一方の支柱部２Ｂの下端部に設けたばね受部材１６に接続されている。なお、本実施の形態においては、踏力伝達部材１３として可撓性を有する皮革または樹脂製のバンドを用いた例を示したが、これに限らずタイミングベルト、チェーン等も用いることも可能である。
【００１２】
前記フットボード１２は通常図１に示す初期位置状態に保持されている。この状態よりフットボード１２を踏込操作すると、踏力伝達部材１３が引き下げられて回動軸６を回動させる。したがって、ビータ１０も回動軸６と一体に回動してバスドラムのドラムヘッドを打撃する。このときのフットボード１２の最大踏込角度は、１５°程度である。打撃後、フットボード１２から踏込操作力を取り除くと、フットボード１２は復帰用ばね１４のばね力によって上昇し、図に示す元の状態に復帰することにより次の踏込操作を可能にする。
【００１３】
次に、本発明の主要部となるビータ１０の構造を図２〜図７に基づいてさらに詳述する。
前記ビータ１０は、ドラムヘッドを打撃するフェルト２０と、このフェルト２０の後部を挟持した状態で収納し前記ビータロッド１１に取付けられるフェルト保持部材（保持部材）２１とで構成されている。
【００１４】
前記フェルト２０は、図５に示すように正面視形状が左右方向に長い長円形（または矩形）で、平面視形状が円弧状で、側面視形状が台形状に形成されており、前端部がドラムヘッドの打撃を可能にするために前記フェルト保持部材２１の開口Ｆから前方に突出している。また、フェルト２０のドラムヘッドを打撃する前面２０ａは、トーリック面（円弧を、その円弧と同一面内にあり円弧の曲率中心を通らない軸の回りに回転させて得られる面の一部）に形成されている。
【００１５】
前記フェルト保持部材２１は、合成樹脂の成形品からなり後述するボルト部によって一体的に結合される第１、第２のケース２２，２３で構成され、前側に前記フェルト２０の後部を収納しかつ挟持する収納部２５が形成されている。収納部２５の開口Ｆは左右方向に長い長円形で、左右方向の開口幅Ｌ（図４）が前記フェルト２０の幅Ｌ1 より小さく設定されている。また、高さ方向の開口幅Ｈ（図２）はフェルト２０の高さＨ1 （図５）より若干小さく設定されている。
【００１６】
図６において、前記第１のケース２２は、前板２２ａ、上板２２ｂ、外板２２ｃ、フェルト挾持板２２ｄ、円筒部２２ｅおよび補強板２２ｆとで構成されている。前記前板２２ａは平板状に形成され、前記フェルト挾持板２２ｄとともにフェルト２０の後部上方部分を収納する収納空間２５Ａを形成している。フェルト挾持板２２ｄは、前記前面２２ａの上端と左右両側縁の上方部分から前方に向かって一体に突設されることにより正面視形状が下向きのコ字状を呈し、左右両側壁部がフェルト２０の前記収納空間２５Ａからの抜けを防止する抜け防止部２６を形成している。抜け防止部２６は、フェルト２０の前板２０ａの左右両端部を覆うように内側に湾曲している。また、フェルト挾持板２２ｄの左右両側壁の内側面の下端には、第１のケース２３との係合部を構成する凹部２７が形成されている。
【００１７】
前記上板２２ｂは、平面視略半円形に形成され、幅方向中央に前記円筒部２２ｅの中心孔２９に連通する凹部２８が形成されている。凹部２８は後述するナット３９が座金４０とともに嵌挿されるもので、穴径が前記中心孔２９の穴径より大きく設定されている。前記円筒部２２ｅは前記上板２２ｂの下面に一体に垂設されており、中心孔２９に前記ビータロッド１１が挿通される。
【００１８】
前記外板２２ｃは、前記上板２２ｃの下面外周縁に一体に垂設されて上下方向に開口しており、前端が前記前板２２ａの後面に接続されている。前記補強板２２ｆは、フェルト２０によるドラムヘッドの打撃力に耐え得るように前記前板２２ａ、外板２２ｃおよび円筒部２２ｅを連結し補強している。
【００１９】
図７に示す前記第２のケース２３は、底板２３ａ、フェルト挾持板２３ｂおよび嵌合壁２３ｃとで構成されている。底板２３ａは、前記第１のケース２２の上板２２ｂと略同一の形状で、幅方向中央に前記ビータロッド１１が貫通されるとともにビータ１０が実質的に保持される保持部３１が形成されている。保持部３１は貫通孔３１ａと凹部３１ｂとから形成されている。底板２３ａとフェルト挾持板２３ｂとの連結部には段差３２が設けられている。この段差３２の垂直な段差面３２ａは、前記第１のケース２２と第２のケース２３を一体的に結合したとき、第１のケース２２の前板２２ａと同一面を形成し、前記フェルト２０の前後方向を位置決めする位置決め部を形成している。
【００２０】
前記フェルト挾持板２３ｂは、前記底板２３ａの前端側外周縁に前方および上方に向かって一体に突設されることにより正面視形状が上向きのコ字状で前記フェルト挾持板２２ｄと略上下対称な形状を呈し、このフェルト挾持板２３ｂと前記底板２３ａとで囲まれた空間が前記フェルト２０の後部下方部分を収納する収納空間２５Ｂを形成している。この収納空間２５Ｂは、前記第１、第２のケース２２，２３を一体的に結合することにより、前記収納空間２５Ａとともに前記収納部２５を形成する。フェルト挾持板２３ｂの左右両側壁部は、フェルト２０の前板２０ａの左右両端部を覆うように内側に湾曲して前記収納部２５の開口幅Ｌを規定し、これによりフェルト２０が前記収納空間２５Ｂから抜けるのを防止する抜け防止部３４を形成している。フェルト挾持板２３ｂの上端には、前記第１のケース２２のフェルト挾持板２２ｄの内側面下部に設けた前記凹部２７に係合する薄肉の係合片３５が上方に向かって一体に突設されている。
【００２１】
前記嵌合壁２３Ｃは、前記底板２３ａの上面外周縁に上方に向かって一体に突設された不連続（または連続した）な円弧状を呈し、上面に前記第１のケース２２の外板２２ｃの内面に下方から嵌合する薄肉の嵌合壁３７が一体に突設されている。フェルト２０の形成に際しては、少なくとも幅方向の大きさをケース開口幅より大きく形成しておけば、フェルト２０の弾力がケースを押さえるので脱落し難い。
【００２２】
図３において、前記ビータロッド１１の先端部付近には、前記第２のケース２３を受け止めて支持する座金４１を止めるための凸部４３がかしめによって一体に突設され、さらに先端部には前記ナット３９が座金４０を介して螺合する雄ねじ４２が形成されることによりフェルト保持部材２１を固定するボルト部を形成している。
【００２３】
ビータ１０の組み立てとビータロッド１１への取付けは以下の手順によって行われる。
▲１▼ビータロッド１１の先端部を第２のケース２３の保持部３１に下方から挿通してストッパ４１を凹部３１ｂに嵌合することにより第２のケース２３をビータロッド１１の先端部に位置付ける。
▲２▼フェルト２０を収納空間２５Ｂに上方から嵌挿して背面下部を段差部３２の垂直な段差面３２ａに密接させ、前面２０ａの両端部をフェルト挟持部２３ｂの左右両側壁の内側面に密接させる。
▲３▼ビータロッド１１の先端部を第１のケース２２の円筒部２２ｅの中心孔２９に下方から挿通して第１のケース２２を第２のケース２３に上方から嵌合する。これにより、係合片３５が凹部２７に係合し、係合壁３７が外板２２ｃの内面に嵌合する。第１、第２のケース２２，２３を嵌合すると収納空間２５Ａ，２５Ｂが収納部２５を形成してフェルト２０の後部を収納し、フェルト２０の背面が第１のケース２２の前板２２ａに密接する。
▲４▼ビータロッド１１の雄ねじ４２にナット３９を座金４０を介して螺合し、第１のケース２２を第２のケース２３に押し付けと、開口Ｆの高さ方向の開口幅Ｈがフェルト２０の高さＨ1 より若干小さく設定されていることから、第１、第２のケース２２，２３のフェルト挾持板２２ｄ，２３ｂがフェルト２０の後部をビータロッド１１の軸線方向から挟持し収納部２５内に固定する。
【００２４】
または別の取付け方として、予め第１、第２のケース２２，２３を嵌合して収納部２５内にフェルト２０を収納し、しかる後ビータロッド１１の先端部を保持部３１から円筒部２２ｅの中心孔２９に挿通してナット３９を雄ねじ４２に座金４０を介して螺合することにより、第１、第２のケース２２，２３を一体的に結合するようにしてもよい。
【００２５】
このような構造からなるドラム用フットペダル１のビータ取付構造においては、第１、第２のケース２２，２３のフェルト挾持板２２ｄ，２３ｂによってフェルト２０の後部を挟持しているので、フェルト２２がフェルト保持部材２１の収納部２５から抜け出したりするおそれがなく、確実に保持することができる。また、フェルト挾持板２２ｄ，２３ｂの左右の側壁部分は内側に屈曲してフェルト２０の前面両端部に密接することにより抜け防止部２６，３４を形成しているので、フェルト２０が収納部２５から脱落するのを一層確実に防止することができる。したがって、接着剤によって収納空間２５内に固着したりする必要がなく、フェルト２０のフェルト保持部材２１への取付作業が簡単かつ容易である。さらに、摩耗等によってフェルト２０を交換する必要が生じた場合は、ナット３９を外して第１のケース２２をビータロッド１１から外し、フェルト２０を収納部２５から取り外せば新しいフェルトと交換することができるため、交換作業も簡単かつ容易で、フェルト保持部材２１をそのまま使用することができる。
【００２６】
また、フェルト保持部材２１のビータロッド１１への固定と、フェルト保持部材２１によるフェルト２０の挟持を、ナット３９によって行なっているので、最少部品点数とすることができる。
【００２７】
なお、上記した実施の形態においては、フェルト保持部材２１を合成樹脂製の成形品によって形成したが、本発明はこれに何ら限定されるものではなく、ダイキャスト鋳造によって製作されたアルミニウム等の金属からなる成形品であってもよい。
また、フェルト２０の形状は上記実施の形態において示した形状に何ら特定されるものではなく、種々の形状とすることが可能である。例えば前面２２ａを球面状に形成し、その外周縁部を全周にわたって挟持するようにしてもよい。
また、フェルト２０の抜け防止部２６，３４をフェルト挾持板２２ｄ，２３ｂの一部で構成したが、これに限らずピン、段差部等で構成し、フェルト２０に食い込ませるようにしてもよい。材質はフェルトに限らず打楽器の打撃に適するものでよく、様々なものが用いられる。
また、ビータロッド１１の先端部分のみに雄ねじ４２を形成したボルトとして使用する例を示したが、ストッパ４１の代わりにナットを使用するために当該部分まで雄ねじを形成してもよい。
【００２８】
【発明の効果】
以上説明したように本発明に係るドラム用フットペダルは、ドラムヘッドを打撃する打撃部材と、この打撃部材を挟持するとともに打撃部材の後部を収納する収納部を有する保持部材とによってビータを構成したので、打撃部材の保持が確実で、演奏中に打撃部材が保持部材から脱落するのを確実に防止することができる。
また、本発明は保持部材によって打撃部材を挟持するようにしたので、接着剤を用いて固着する必要がなく、打撃部材の保持部材への取付け、取外し、さらには打撃部材の交換作業を迅速かつ容易に行うことができる。
さらに、本発明は保持部材に打撃部材の抜けを防止する抜け防止部を設けているので、打撃部材の脱落をより一層確実に防止することができる。
【図面の簡単な説明】
【図１】  本発明に係るドラム用フットペダルの一実施の形態を示す外観斜視図である。
【図２】  ビータの正面図である。
【図３】  図２のIII −III 線断面図である。
【図４】  同じくビータの平面図である。
【図５】  （ａ）、（ｂ）、（ｃ）はフェルトの平面図、正面図および側面図である。
【図６】  （ａ）、（ｂ）は第１のケースの断面図および底面図である
【図７】  （ａ）、（ｂ）第２のケースの断面図および平面図である。
【図８】  従来のビータの側面図である。
【符号の説明】
１…ドラム用フットペダル、２…ペダルフレーム、２Ｂ…支柱部、６…回動軸、９…ロッカ、１０…ビータ、１１…ビータロッド、１２…フットボード、１３…踏力伝達部材、２０…フェルト、２１…フェルト保持部材、２２…第１のケース、２３…第２のケース、２５…収納部、２５Ａ，２５Ｂ…収納空間、２６，３４…抜け防止部。
【図１】
0003733916.tif 000002
【図２】
0003733916.tif 000003
【図３】
0003733916.tif 000004
【図４】
0003733916.tif 000005
【図５】
0003733916.tif 000006
【図６】
0003733916.tif 000007
【図７】
0003733916.tif 000008
【図８】
0003733916.tif 000009